(57)【特許請求の範囲】
【請求項１】
ソケット本体にランプピンを挿入して回転させ、該ランプピンを接触片と接続させてランプの取り付けを行う蛍光灯ソケットにおいて、
前記接触片は、帯状部材の長手方向の両側に設けた拡幅面をほぼ直角に折り曲げて成形し、回転させて挿入される前記ランプピンを挟み込んで接触するランプピン接触部と、前記ランプピンの先端部と接触してこれを前記ランプピン接触部側に付勢するランプピン押上部と、電線と接続する電線鎖錠部とを、一体に成形したことを特徴とする蛍光灯ソケット。
【請求項２】
前記帯状部材の長手方向の一方の側の両側に設けた拡幅面をほぼ直角に折り曲げて前記ランプピン接触部を形成し、該ランプピン接触部の下方を該ランプピン接触部と同方向に折り曲げたのち斜め反対方向に折り曲げて前記ランプピン押上部を形成し、該ランプピン押上部の側方に設けた拡幅面を前記ランプピン押上部と同方向に折り曲げたのち反対方向に折り曲げて前記電線鎖錠部を形成したことを特徴とする請求項１記載の蛍光灯ソケット。
【請求項３】
前記帯状部材の長手方向の一方の側の両側に設けた拡幅面をほぼ直角に折り曲げて前記ランプピン接触部を形成し、該ランプピン接触部の下方を該ランプピン接触部と同方向に折り曲げてほぼヘ字状の前記ランプピン押上部を形成し、該ランプピン押上部の側方に設けた拡幅面を前記ランプピン押上部と同方向に折り曲げたのち反対方向に折り曲げて前記電線鎖錠部を形成したことを特徴とする請求項１記載の蛍光灯ソケット。
【請求項４】
前記帯状部材の長手方向のほぼ中央部の両側に設けた拡幅面をほぼ直角に折り曲げて前記ランプピン接触部を形成し、該ランプピン接触部の下方を該ランプピン接触部と同方向に折り曲げてほぼヘ字状の前記ランプピン押上部を形成し、前記ランプピン接触部の上側を該ランプピン接触部と反対側に折り曲げて前記電線鎖錠部を形成したことを特徴とする請求項１記載の蛍光灯ソケット。
【請求項５】
前記帯状部材の長手方向のほぼ中央部の両側に設けた拡幅面をほぼ直角に折り曲げて前記ランプピン接触部を形成し、該ランプピン接触部の下方を該ランプピン接触部と同方向に折り曲げたのち斜め反対方向に折り曲げて前記ランプピン押上部を形成し、前記ランプピン接触部の上方を該ランプピン接触部と反対方向に折り曲げて前記電線鎖錠部を形成したことを特徴とする請求項１記載の蛍光灯ソケット。
【発明の詳細な説明】
【０００１】
【発明の属する技術分野】
本発明は、蛍光灯ソケットに係り、より詳しくは、接触片の変形によって接触不良をおこすことのない蛍光灯ソケットに関するものである。
【０００２】
【従来の技術】
図９は従来の蛍光灯ソケットの分解斜視図、図１０は図９の要部の斜視図である。１は蛍光灯ソケットの本体、２はランプピン接触部６と電線鎖錠部７を備えた接触片、３はランプ押上部５を備えたランプホルダ、４は裏蓋である。そして、本体１の穴部にランプピンを押し込んで回転させることによって、ランプピンを接触片２とランプホルダ３に接触させてランプを固定する。
【０００３】
【発明が解決しようとする課題】
上記のように構成した蛍光灯ソケットによれば、接触片２とは別にランプホルダ３を設けているために部品点数が増えるばかりでなく、接触片２等が変形して接触不良をおこすことがあった。
【０００４】
本発明は上記のような課題を解決するためになされたもので、部品点数を減少してコストを下げ、電気的特性を向上させて接触不良をおこすことのない蛍光灯ソケットを得ることを目的とする。
【０００５】
【課題を解決するための手段】
本発明にかかる蛍光灯ソケットは、次のように構成したものである。
（１）  ソケット本体にランプピンを挿入して回転させ、ランプピンを接触片と接続させてランプの取り付けを行う蛍光灯ソケットであって、接触片は、帯状部材の長手方向の両側に設けた拡幅面をほぼ直角に折り曲げて成形し、回転させて挿入されるランプピンを挟み込んで接触するランプピン接触部と、ランプピンの先端部と接触してこれをランプピン接触部側に付勢するランプピン押上部と、電線と接続する電線鎖錠部とを一体に成形した。
【０００６】
（２）  上記（１）の蛍光灯ソケットにおいて、帯状部材の長手方向の一方の側の両側に設けた拡幅面をほぼ直角に折り曲げてランプピン接触部を形成し、ランプピン接触部の下方をランプピン接触部と同方向に折り曲げたのち斜め反対方向に折り曲げてランプピン押上部を形成し、ランプピン押上部の側方に設けた拡幅面をランプピン押上部と同方向に折り曲げたのち反対方向に折り曲げて電線鎖錠部を形成した。
【０００７】
（３）  上記（１）の蛍光灯ソケットにおいて、帯状部材の長手方向の一方の側の両側に設けた拡幅面をほぼ直角に折り曲げてランプピン接触部を形成し、ランプピン接触部の下方をランプピン接触部と同方向に折り曲げてほぼヘ字状のランプピン押上部を形成し、ランプピン押上部の側方に設けた拡幅面をランプピン押上部と同方向に折り曲げたのち反対方向に折り曲げて電線鎖錠部を形成した。
【０００８】
（４）  上記（１）の蛍光灯ソケットにおいて、帯状部材の長手方向のほぼ中央部の両側に設けた拡幅面をほぼ直角に折り曲げてランプピン接触部を形成し、ランプピン接触部の下方をランプピン接触部と同方向に折り曲げてほぼヘ字状のランプピン押上部を形成し、ランプピン接触部の上側をランプピン接触部と反対側に折り曲げて電線鎖錠部を形成した。
【０００９】
（５）  上記（１）の蛍光灯ソケットにおいて、帯状部材の長手方向のほぼ中央部の両側に設けた拡幅面をほぼ直角に折り曲げてランプピン接触部を形成し、ランプピン接触部の下方をランプピン接触部と同方向に折り曲げたのち斜め反対方向に折り曲げてランプピン押上部を形成し、ランプピン接触部の上方をランプピン接触部と反対方向に折り曲げて電線鎖錠部を形成した。
【００１０】
【発明の実施の形態】
実施の形態１
図１は本発明の実施の形態１の分解斜視図、図２は図１の要部の斜視図、図３（ａ) ，（ｂ），（ｃ）は図２の正面図、側面図及び底面図、図４は図１の作用説明図、図５は図１の他の作用説明図である。図において、１は蛍光灯のランプ、２，３はランプ１の端部に設けたランプピン及びランプ口金である。４はランプピン２の差込穴５やランプ口金３の差込部６を有する蛍光灯ソケットの絶縁性の本体で、一枚の帯状部材を折り曲げて形成した接触片７を４個収容した隔壁を備えている。８は絶縁性の裏蓋で、電線を挿入するための電線挿入穴９を有し、係止部９ａによって本体４に取り付けられる。
【００１１】
接触片７の構成を図２、図３によって詳述する。この接触片７は弾性を有する導電材料からなる帯状部材１０を折り曲げて形成したもので、１１はランプピン２と接触して接続するランプピン接触部であり、帯状部材１０の長手方向の先端部両側に拡幅に形成した２つの長方形状の面を帯状部材１０の面（以下帯状面という）とほぼ直角に同方向に折り曲げて形成したものである。
【００１２】
１２はランプピン接触部１１の下方に設けたランプピン押上部で、帯状面をランプピン接触部１１側（以下、前面側といい、その反対側を背面側という）に数回折り曲げてバネ部を形成している。即ち、帯状面の長手方向の中央部よりもやや下方を前面側に第１の折曲部１３で直角に折り曲げて第１の折曲面１３ａを形成し、ついで、第２の折曲部１４から背面側に斜め上方に折り曲げて第２の折曲面１４ａを形成し、さらに、第３の折曲部１５から第１の折曲面１３ａ側に斜め前面側に折り曲げて第３の折曲面１５ａを形成し、最後に先端部を第４の折曲部１６で第２の折曲面１４ａ側に折り曲げて第４の折曲面１６ａを形成したものである。
【００１３】
このようにして、ランプピン押上部１２を、図３に示すように、第１、第３の折曲面１３ａ，１５ａを斜辺とし第２の折曲面１４ａを底辺とする三角形状に形成し、かつ、第４の折曲部１６が第１の折曲面１３ａに滑動可能に接触し、第３の折曲部１５が立設面１７に近接して位置するように構成してある。
【００１４】
１８はランプピン押上部１２と並列して設けた電線鎖錠部で、ランプピン接触部１１の下方において横方向に拡幅した面を前面側に折り曲げてバネ部を形成したものである。即ち、ランプピン押上部１２の横方向に拡幅した面をランプピン押上部１２の第１の折曲部１３と同じ高さの第１の折曲部１９によって前面側に直角に折り曲げて第１の折曲面１９ａを形成し、次に第２の折曲部２０で背面側にほぼ１８０度折り曲げて第２の折曲面２０ａを形成し、さらに、先端部近傍を第３の折曲部２１で背面側に斜め上方に折り曲げて第３の折曲面２１ａを形成する。そして、第３の折曲面２１ａの縁部に上方向に突設した電線接触部２２を設け、電線接触部２２の下方に位置する第１の折曲面１９ａに電線接続穴２３（図５参照）を設ける。
【００１５】
こうして、電線鎖錠部１８を、第１、第２の折曲面１９ａ，２０ａにより平行面形状に形成し、図３に示すように、第３の折曲面２１ａの縁部が接触片７の立設面１７の前面側に接触するようにしてある。
【００１６】
上記のように構成した実施の形態１の作用を説明する。まず、蛍光灯ソケットを組立てる場合について説明すると、図５に示すように、裏蓋８に設けた電線挿入穴９から電線２４を挿入し、電線鎖錠部１８の電線接続穴２３を貫通させて第３の折曲面２１ａの縁部に設けた電線接触部２２で電線２４を保持する。こうすると、第３の折曲面２１ａは、やや上方に押された状態で電線２４を立設面１７方向に係止する。その後、本体１に各接触片７を装着して、裏蓋８を嵌合する。
【００１７】
次に、蛍光灯ソケットにランプを取り付ける場合について説明する。図４に示すように、ランプピン２とランプ口金３をそれぞれ本体４の差込穴５と差込部６に差し込んでランプを矢印イ方向に回転させる。こうすると、ランプピン２は接触片７の前面側から立設面１７方向に進み、図５に示すように、ランプピン２がランプピン接触部１１の間に挟まれる。このとき、ランプピン２の先端部２ａはランプピン押上部１２の第２の折曲面１４ａの斜面に沿って立設面１７側に移動し、ランプピン押上部１２を下方に押圧する。これにより、ランプピン押上部１２の第４の折曲部１６が第１の折曲面１３ａに沿って前側方向にずれ、第３の折曲部１５が立設面１７に接触して、ランプピン２を上方に付勢した状態で装着される。
【００１８】
実施の形態１によれば、接触片７の上端部にランプピン接触部１１を設けると共に下端部にランプピン押上部１２と電線鎖錠部１８を設けてこれらを一体に構成したので、余分な部材を削減してコストを下げることができ、また電気特性が向上して接触不良や接触片の変形等がおこることもない。
【００１９】
実施の形態２
図６（ａ），（ｂ），（ｃ）は本発明の実施の形態２の要部の正面図、側面図及び底面図である。なお、１１はランプピン接触部であり、１８はランプピン接触部１１の下方にランプピン押上部１２ａと並列して設けた電線鎖錠部で、これらの構成は実施の形態１に示した場合と同様なので、説明は省略する。
【００２０】
１２ａはランプピン接触部１１の下方に設けたランプピン押上部で、帯状部材１０の長手方向下方の帯状面を前面側に数回折り曲げてほぼへ字状に形成し、バネ部を構成したものである。即ち、帯状面の長手方向の中央よりもやや下方を前面側に第１の折曲部２５で斜め上方に折り曲げて第１の折曲面２５ａを形成し、ついで、第２の折曲部２６で前面側にほぼ水平に折り曲げて第２の折曲面２６ａを形成し、さらに前面側に第３の折曲部２７で斜め下方に折り曲げて第３の折曲面２７ａを形成し、最後に先端部を第４の折曲部２８で斜め下方に折り曲げて第４の折曲面２８ａを形成する。そして、第２の折曲面２６ａが立設面１７とほぼ直交し、第４の折曲面２８ａの縁部が第１の折曲部２５の高さ位置とほぼ同じ高さ位置になるようにしてある。
【００２１】
上記のように構成した実施の形態２の作用を説明する。なお、蛍光灯ソケットの組立てについては実施の形態１に示した場合と同様なので、説明を省略する。次に、蛍光灯ソケットにランプ１を取り付ける場合について説明する。図４に示すように、ランプピン２を本体４の差込穴５に差し込んで矢印イ方向に回転させると、ランプピン２がランプピン接触部１１の間に挟まれる。このとき、ランプピン２の先端部２ａはランプピン押上部１２ａの第３の折曲面２７ａの斜面に沿って立設面１７方向に移動し、さらに第２の折曲面２６ａ上に移動して、ランプピン押上部１２ａ全体を下方に押圧する。このため、第４の折曲面２８ａの縁部が裏蓋８の面に沿って前側方向にずれ、ランプピン２を上方向に付勢した状態で固定する。
実施の形態２の効果は、実施の形態１で示した場合とほぼ同様なので、説明を省略する。
【００２２】
実施の形態３
図７（ａ），（ｂ），（ｃ）は本発明の実施の形態３の要部の正面図、側面図及び底面図である。１１はランプピン接触部、１２ａはランプピン押上部で、これらは実施の形態２と同様なので、説明を省略する。
【００２３】
１８ａは接触片７の背面側に折り返して設けた電線鎖錠部である。即ち、ランプピン接触部１１のすぐ上部を背面側に第１の折曲部２９で斜め下方に折り曲げて第１の折曲面２９ａを形成し、次にその先端部側を第２の折曲部３０で前面側に斜め上方に折り曲げて第２の折曲面３０ａを形成し、第２の折曲面３０ａの縁部に上方向に突設した電線接触部２２を設けたものである。そして、電線鎖錠部１８ａが、立設面１７との間で三角形状をなし、かつ第２の折曲面３０ａの縁部が立設面１７の背面に接触するようにしてある。
【００２４】
上記のように構成した実施の形態３の作用を説明する。まず、蛍光灯ソケットを組立てる場合について説明すると、裏蓋８に設けた電線挿入穴９から電線２４を挿入し、電線鎖錠部１８ａの第２の折曲面３０ａの縁部に設けた電線接触部２２で電線２４を係止する。その後、本体１に各接触片７を装着して、裏蓋８を嵌合させる。
【００２５】
次に、蛍光灯ソケットにランプ１を取り付ける場合について説明する。図４に示すように、ランプピン２を本体４の差込穴５に差し込んで矢印イ方向に回転させると、ランプピン２がランプピン接触部１１に挟み込まれる。このとき、ランプピン２の先端部２ａはランプピン押上部１２ａの第３の折曲面２７ａの斜面に沿って立設面１７方向に移動し、さらに第２の折曲面２６ａ上に移動して、ランプピン押上部１２ａ全体を下方に押圧する。このため、第４の折曲面２８ａの縁部が裏蓋８の面に沿って前面側にずれ、ランプピン２を上方向に付勢した状態で固定する。
実施の形態３の効果は、実施の形態１で示した場合とほぼ同様なので、説明を省略する。
【００２６】
実施の形態４
図８（ａ），（ｂ），（ｃ）は本発明の実施の形態４の要部の正面図、側面図及び底面図である。なお、１１はランプピン接触部であり、１８ａはランプピン接触部１１の背面側に設けた電線鎖錠部で、これらの構成は実施の形態３に示した場合と同様なので、説明は省略する。
【００２７】
１２ａはランプピン接触部１１の下方に設けたランプピン押上部で、長手方向下方の帯状面を前面側に数回折り曲げてバネ部を構成している。即ち、帯状面の下方を前面側に第１の折曲部１３で直角に折り曲げて第１の折曲面１３ａを形成し、次に第２の折曲部１４で背面側に斜め上方に折り曲げて第２の折曲面１４ａを形成し、さらに、第３の折曲部１５で第１の折曲面１３ａ側に前面側に向かって斜めに折り曲げて第３の折曲面１５ａを形成し、最後に先端部近傍を前面側に第４の折曲部１６でほぼ直角に折り曲げて第４の折曲面１６ａを形成する。
【００２８】
こうして、ランプピン押上部１２ａを、第１、第３の折曲面１３ａ，１５ａを斜辺とし第２の折曲面１４ａを底辺とする三角形状に形成し、かつ第４の折曲部１６が第１の折曲面１３ａに滑動可能に接触し、第３の折曲部１５が立設面１７から離れるように構成してある。
【００２９】
上記のように構成した実施の形態４の作用を説明する。なお、蛍光灯ソケットの組立てについては実施の形態３に示した場合と同様なので、説明を省略する。次に、蛍光灯ソケットにランプ１取り付ける場合について説明する。図４に示すように、ランプピン２を本体４に差込穴５に差し込んで矢印イ方向に回転させると、ランプピン２がランプピン接触部１１の間に挟まれる。このとき、ランプピン２の先端部２ａはランプピン押上部１２ａの第２の折曲面１４ａの斜面に沿って立設面１７方向に移動し、ランプピン押上部１２ａを下方に押圧する。こうして、ランプピン押上部１２ａの第４の折曲部１６が第１の折曲面１３ａに沿って前面側にずれ、第３の折曲部１５が立設面１７に接触して、ランプピン２を上方に付勢した状態で装着する。
実施の形態４の効果は、実施の形態１で示した場合とほぼ同様なので、説明を省略する。
【００３０】
【発明の効果】
以上の発明から明らかなように、本発明にかかる蛍光灯ソケットによれば、次のような効果を得ることができる。なお、説明に当たっては、請求項の番号と同じ番号を付してそれぞれの請求項の効果を記述する。
【００３１】
（１）  ソケット本体にランプピンを挿入して回転させ、ランプピンを接触片と接続させてランプの取り付けを行う蛍光灯ソケットであって、接触片は、帯状部材の長手方向の両側に設けた拡幅面をほぼ直角に折り曲げて成形し、回転させて挿入されるランプピンを挟み込んで接触するランプピン接触部と、ランプピンの先端部と接触してこれをランプピン接触部側に付勢するランプピン押上部と、電線と接続する電線鎖錠部とを一体に成形したので、ランプピン接触部、ランプピン押上部及び電線鎖錠部を一体化でき、ランプを押し上げる動作を行うために従来のごとき別の部材を用いる必要はなく、部品の一体化によるコストダウンに寄与し、電気的特性を向上することができる。
【００３２】
（２）  上記（１）の蛍光灯ソケットにおいて、帯状部材の長手方向の一方の側の両側に設けた拡幅面をほぼ直角に折り曲げてランプピン接触部を形成し、ランプピン接触部の下方をランプピン接触部と同方向に折り曲げたのち斜め反対方向に折り曲げてランプピン押上部を形成し、ランプピン押上部の側方に設けた拡幅面をランプピン押上部と同方向に折り曲げたのち反対方向に折り曲げて電線鎖錠部を形成したので、部品点数が減少してコストを下げることができ、また、電気的特性が向上して接触不良をおこすことがない。
【００３３】
（３）  上記（１）の蛍光灯ソケットにおいて、帯状部材の長手方向の一方の側の両側に設けた拡幅面をほぼ直角に折り曲げてランプピン接触部を形成し、ランプピン接触部の下方をランプピン接触部と同方向に折り曲げてほぼヘ字状のランプピン押上部を形成し、ランプピン押上部の側方に設けた拡幅面をランプピン押上部と同方向に折り曲げたのち反対方向に折り曲げて電線鎖錠部を形成したので、部品点数が減少してコストを下げることができ、また、電気的特性が向上して接触不良をおこすことがない。
【００３４】
（４）  上記（１）の蛍光灯ソケットにおいて、帯状部材の長手方向のほぼ中央部の両側に設けた拡幅面をほぼ直角に折り曲げてランプピン接触部を形成し、ランプピン接触部の下方をランプピン接触部と同方向に折り曲げてほぼヘ字状のランプピン押上部を形成し、ランプピン接触部の上側をランプピン接触部と反対側に折り曲げて電線鎖錠部を形成したので、部品点数が減少してコストを下げることができ、また、電気的特性が向上して接触不良をおこすことがない。
【００３５】
（５）  上記（１）の蛍光灯ソケットにおいて、帯状部材の長手方向のほぼ中央部の両側に設けた拡幅面をほぼ直角に折り曲げてランプピン接触部を形成し、ランプピン接触部の下方をランプピン接触部と同方向に折り曲げたのち斜め反対方向に折り曲げてランプピン押上部を形成し、ランプピン接触部の上方をランプピン接触部と反対方向に折り曲げて電線鎖錠部を形成したので、部品点数が減少してコストを下げることができ、また、電気的特性が向上して接触不良をおこすことがない。
【図面の簡単な説明】
【図１】  実施の形態１の分解斜視図である。
【図２】  図１の要部の斜視図である。
【図３】  図２の正面図、側面図、底面図である。
【図４】  図１の作用説明図である。
【図５】  図１の他の作用説明図である。
【図６】  実施の形態２の要部の正面図、側面図及び底面図である。
【図７】  実施の形態３の要部の正面図、側面図及び底面図である。
【図８】  実施の形態４の要部の正面図、側面図及び底面図である。
【図９】  従来の蛍光灯ソケットの一例を示す分解斜視図である。
【図１０】  図９の要部の斜視図である。
【符号の説明】
１  ランプ、２  ランプピン、２ａ  ランプピンの先端部、４  ソケットの本体、７  接触片、１１  ランプピン接触部、１２  ランプピン押上部、１３  ランプピン押上部の第１の折曲部、１３ａ  第１の折曲面、１４  第２の折曲部、１４ａ  第２の折曲面、１５  第３の折曲部、１５ａ  第３の折曲面、１６  第４の折曲部、１６ａ  第４の折曲面、１７  立設面、１８  電線鎖錠部、１９  電線鎖錠片の第１の折曲部、１９ａ  第１の折曲面、２０  第２の折曲部、２０ａ  第２の折曲面、２１  第３の折曲部、２１ａ  第３の折曲面、２２  電線接触部、２４  電線、２５  へ字状のランプピン押上部の第１の折曲部、２５ａ  第１の折曲面、２６  第２の折曲部、２６ａ  第２の折曲面、２７  第３の折曲部、２７ａ  第３の折曲面、２８  第４の折曲部、２８ａ  第４の折曲面、２９背面側の電線鎖錠片の第１の折曲部、２９ａ  第１の折曲面、３０  第２の折曲部、３０ａ  第２の折曲面。
【図１】
0003820534.tif 000002
【図２】
0003820534.tif 000003
【図３】
0003820534.tif 000004
【図４】
0003820534.tif 000005
【図５】
0003820534.tif 000006
【図６】
0003820534.tif 000007
【図７】
0003820534.tif 000008
【図８】
0003820534.tif 000009
【図９】
0003820534.tif 000010
【図１０】
0003820534.tif 000011